(57)【要約】【課題】床衝撃音をより低減させることができる構造の建物を提供する。【解決手段】床スラブ１２と、床スラブ１２の上に所定の間隔で配置された防振ゴム１５付きの支持脚１３と、支持脚１３の上に形成された床板とを備えた床構造１と、内側に空間を有した壁構造（間仕切壁３）と、床構造１の床下空間５と壁構造の内側の空間である壁内空間６とを空気が流通可能なように連通させる第１の通気部７と、壁内空間６と天井構造４の天井裏空間８とを空気が流通可能なように連通させる第２の通気部９とを備えた。【選択図】図１
2014012976.tif 000002
【特許請求の範囲】
【請求項１】
床スラブと、床スラブの上に所定の間隔で配置された防振ゴム付きの支持脚と、支持脚の上に形成された床板とを備えた床構造と、
内側に空間を有した壁構造と、
床構造の床下空間と壁構造の内側の空間である壁内空間とを空気が流通可能なように連通させる第１の通気部と、
壁内空間と天井構造の天井裏空間とを空気が流通可能なように連通させるか、又は、壁内空間と室内空間とを空気が流通可能なように連通させる第２の通気部とを備えたことを特徴とする建物。
【請求項２】
天井裏空間と室内空間とを空気が流通可能なように連通させる第３の通気部を備えたことを特徴とする請求項１に記載の建物。
【請求項３】
第１の通気部が、床構造の床板を貫通するように形成された床板貫通孔により構成されたことを特徴とする請求項１又は請求項２に記載の建物。
【請求項４】
床板貫通孔は、壁構造の下方に位置された複数の支持脚と支持脚との間に位置する床板に形成されたことを特徴とする請求項３に記載の建物。
【請求項５】
壁構造が間仕切壁であり、壁内空間が間柱を挟んで互いに対向するように設けられた壁板と壁板との間の空間により形成されたことを特徴とする請求項１乃至請求項４のいずれか一項に記載の建物。
【請求項６】
壁構造が躯体壁と当該躯体壁と対向するように設けられた壁板とで形成された二重壁であり、壁内空間が躯体壁と壁板との間の空間により形成されたことを特徴とする請求項１乃至請求項４のいずれか一項に記載の建物。
【請求項７】
壁構造が壁内空間としてのパイプスペースを形成する二重壁であることを特徴とする請求項１又は請求項２に記載の建物。
【請求項８】
壁構造が収納部の背壁板と当該背壁板と対向する壁とで形成された二重壁であり、壁内空間が背壁板と壁との間の空間により形成されたことを特徴とする請求項１に記載の建物。
【発明の詳細な説明】
【技術分野】
【０００１】
本発明は、床衝撃音を低減できる建物に関するものである。
【背景技術】
【０００２】
床スラブと、床スラブの上に所定の間隔で配置された防振ゴム付きの支持脚と、支持脚の上に形成された床板構成部とを備えた二重床において、床板構成部に床衝撃音が加わった場合に、床衝撃音が壁に伝達されないように（言い換えれば、床板構成部に床衝撃音が加わった場合に、床下空気層に生じた圧力波を床上空間に逃がすための流通経路が確保されるように）、床板構成部と壁とを間隔を隔てて設けた構成の建物が知られている（特許文献１；２等参照）。
【先行技術文献】
【特許文献】
【０００３】
【特許文献１】特開２０００−２７４１６号公報
【特許文献２】特開２００４−２５７０５９号公報
【特許文献３】特開２００６−２８９５２号公報
【特許文献４】特開２００９−９１７３５号公報
【発明の概要】
【発明が解決しようとする課題】
【０００４】
前述のように床板構成部と壁とを間隔を隔てた場合には一定の効果が得られるが、床衝撃音をさらに低減させることができる構造の建物、また、前述した床板構成部と壁との間隔が確保されない場合であっても床衝撃音を低減させることができる構造の建物が望まれている。
本発明は、床衝撃音をより低減させることができる構造の建物を提供する。
【課題を解決するための手段】
【０００５】
本発明に係る建物は、床スラブと、床スラブの上に所定の間隔で配置された防振ゴム付きの支持脚と、支持脚の上に形成された床板とを備えた床構造と、内側に空間を有した壁構造と、床構造の床下空間と壁構造の内側の空間である壁内空間とを空気が流通可能なように連通させる第１の通気部と、壁内空間と天井構造の天井裏空間とを空気が流通可能なように連通させるか、又は、壁内空間と室内空間とを空気が流通可能なように連通させる第２の通気部とを備えたので、床構造の床板に床衝撃音が加わった場合に床下空間で生じた圧力波が、床下空間、第１の通気部、壁内空間、第２の通気部を介して天井裏空間又は室内空間を経て減衰するので、床衝撃音をより低減させることができる建物を提供できる。
天井裏空間と室内空間とを空気が流通可能なように連通させる第３の通気部を備えたことにより、床構造の床板に床衝撃音が加わった場合に床下空間で生じた圧力波が、床下空間、第１の通気部、壁内空間、第２の通気部、天井裏空間、第３の通気部、室内空間を経て減衰するので、床衝撃音をより低減させることができる建物を提供できる。
第１の通気部が、床構造の床板を貫通するように形成された床板貫通孔により構成されたので、床衝撃音をより低減させることができる建物を床先行工法で構築でき、床を施工してから床上に壁を施工できることから施工が容易になるとともに、壁の配置を変更することの容易な建物、所謂、フリープランに容易に対応可能な建物を提供できる。即ち、フリープランに容易に対応可能であるとともに床衝撃音をより低減させることができる建物を提供できる。
床板貫通孔は、壁構造の下方に位置された複数の支持脚と支持脚との間に位置する床板に形成されたので、壁構造の重量を支持脚で支持できるとともに、第１の通気部を形成できるようになる。
壁構造が間仕切壁であり、壁内空間が間柱を挟んで互いに対向するように設けられた壁板と壁板との間の空間により形成されたので、床構造の床板に床衝撃音が加わった場合に床下空間で生じた圧力波を、間仕切壁の壁内空間を介して低減させることができる。
壁構造が躯体壁と当該躯体壁と対向するように設けられた壁板とで形成された二重壁であり、壁内空間が躯体壁と壁板との間の空間により形成されたので、床構造の床板に床衝撃音が加わった場合に床下空間で生じた圧力波を、二重壁の壁内空間を介して低減させることができる。
壁構造が壁内空間としてのパイプスペースを形成する二重壁であるので、床構造の床板に床衝撃音が加わった場合に床下空間で生じた圧力波を、壁内空間としてのパイプスペースを介して低減させることができる。
壁構造が収納部の背壁板と当該背壁板と対向する壁とで形成された二重壁であり、壁内空間が背壁板と壁との間の空間により形成されたので、床構造の床板に床衝撃音が加わった場合に床下空間で生じた圧力波を、クローゼットやキッチン収納等の収納部の背壁板と当該背壁板と対向する壁とで形成された二重壁の壁内空間を介して低減させることができる。
【図面の簡単な説明】
【０００６】
【図１】壁構造が間仕切壁である建物を示す縦断面図（実施形態１）。
【図２】壁構造が間仕切壁である建物を示す縦斜視図（実施形態１）。
【図３】壁構造が間仕切壁である建物を示す縦断面図（実施形態２）。
【図４】壁構造が間仕切壁である建物を示す縦断面図（実施形態４）。
【図５】壁構造が間仕切壁である建物を示す縦断面図（実施形態５）。
【図６】壁構造が躯体壁と壁との間に壁内空間を有した二重壁である建物を示す縦断面図（実施形態６）。
【図７】壁構造が壁内空間としてのパイプスペースを有した二重壁である建物を示す縦断面図（実施形態７）。
【図８】壁構造が収納部の背壁板と背壁板と対向する壁とで形成された二重壁である建物を示す縦断面図（実施形態８）。
【図９】建物の室内構成の一例を示す縦断面図（実施形態９）。
【図１０】図９の建物の室内構成を示す横断面図（実施形態９）。
【発明を実施するための形態】
【０００７】
実施形態１
図１に示すように、実施形態１の建物は、床構造１と、壁面を形成する壁体としての壁板２；２同士が間柱３３を介して一定の間隔を隔てて互いに向かい合うように配置されて構成されることによって内側に空間（壁内空間６）を有した壁構造としての間仕切壁３と、天井構造４と、床構造１の床下空間５と間仕切壁３の壁板２と壁板２との間に形成された間仕切壁３の内側の空間である壁内空間６とを空気が流通可能なように連通させる第１の通気部７と、壁内空間６と天井構造４の天井裏空間８とを空気が流通可能なように連通させる第２の通気部９と、天井裏空間８と室内空間１０とを空気が流通可能なように連通させる第３の通気部１１とを備え、ある室内の床構造１の床板に床衝撃音が加わった場合に床下空間５で生じた圧力波が、ある室内の床下空間５、第１の通気部７、壁内空間６、第２の通気部９、天井裏空間８、第３の通気部１１、室内空間１０を経て（二点鎖線矢印参照）減衰して、床衝撃音をより低減させることができるとともに、ある室内の床構造１の床板に床衝撃音が加わった場合に床下空間５で生じた圧力波が、ある室内の床下空間５から間仕切壁３の下の床下空間５を通過して間仕切壁３を隔てたある室内の隣の室内の床下空間５を経て（二点鎖線矢印参照）減衰して、床衝撃音をより低減させることができるように構成された建物である。
また、図２に示すように、第１の通気部７は、間仕切壁３を支持すべく間仕切壁３の真下に配置されて床板を支持する複数の支持脚１３と支持脚１３との間の床板及び床側ランナー３１に形成された貫通孔により構成されるので、間仕切壁３の重量を支持脚１３で支持できるとともに、第１の通気部７を形成できるようになる。
【０００８】
図１；図２に示すように、床構造１は、床スラブ１２と、床スラブ１２の上に所定の間隔で配置された防振ゴム付きの複数の支持脚１３と、複数の支持脚１３の上に形成された床板構成部１４とを備えた構成の、所謂、二重床であり、床下空間５は、床スラブ１２と床板構成部１４との間の空間である。
【０００９】
支持脚１３は、床スラブ１２上に設置される防振ゴム１５と、下部が防振ゴム１５に取付けられて防振ゴム１５に支持される支柱１６と、支柱１６の上端部に設けられた台座１７とを備える。支柱１６の上部の外周面は図外の雄ねじ部に形成される。台座１７は、例えば、パーティクルボード、あるいは、構造用合板で形成される。台座１７は、台座１７の上下面に貫通する図外の貫通孔を備え、この貫通孔内には当該貫通孔を上下に貫通する筒体１８ｇが固定され、この筒体１８ｇの内周面は図外の雌ねじ部に形成される。
つまり、支持脚１３は、支柱１６の上部の外周面に形成された雄ねじ部の雄ねじと筒体１８ｇの内周面に形成された雌ねじ部の雌ねじとのねじ嵌合により、台座１７が支柱１６に対して上下に移動可能に構成され、台座１７のレベル（高さ）を調整して床板構成部１４のレベル（高さ）を調整できる構成である。
【００１０】
床板構成部１４は、支持脚１３の上に形成された基材１８と、基材１８の上に形成された下地材１９と、下地材１９の上に形成された床仕上げ材２０とを備える。
基材１８と台座１７とが図外の固定手段により固定され、基材１８と下地材１９とが図外の固定手段により固定される。尚、当該固定手段及び後述する固定手段としては、例えば、釘、スクリュー釘、タッカー針、ビス等が用いられる。
基材１８は、複数の支持脚１３の台座１７上に載置されて水平面を形成するように並べられ固定手段により台座１７に固定された複数の板材により構成される。基材１８を構成する板材としては、例えば、パーティクルボード、構造用合板等を用いる。
下地材１９は、基材１８の上に載置されて水平面を形成するように並べられ固定手段により基材１８に固定された複数の板材により構成される。下地材１９を構成する板材としては、例えば、パーティクルボード、強化パーティクルボード（通常のパーティクルボードよりもプレス圧を大きくして硬く形成されたパーティクルボード）、構造用合板、石膏ボード、珪酸カルシウム板、ガラス繊維不織布入り石膏ボード等を用いる。
下地材１９の上面に床仕上げ材２０が取付けられる。床仕上げ材２０は、フローリング床材、カーペット、タイル、絨毯、石板、畳等により構成される。
【００１１】
間仕切壁３は、床板構成部１４の下地材１９上に載置されて下地材１９に固定された床側ランナー３１と、天井スラブ４１に固定された天井側ランナー３２と、間柱３３と、壁板構成部３４とにより構成される。
【００１２】
床側ランナー３１、及び、天井側ランナー３２は、例えば、長尺な方向と直交する方向に切断された断面が凹形状の長尺材により形成される。即ち、長尺な帯板状の基板３５の両方の長辺縁より同じ方向に延長して当該基板に対して垂直な立ち上がり板３６；３７を備え、当該基板３５と両方の立ち上がり板３６；３７とで囲まれた凹部を備える。
床側ランナー３１は、凹部の開口を上に向けて下地材１９上における複数の間柱３３の下端の設置予定位置に配置されて下地材１９に図外のスクリュー釘等の固定手段により固定される。天井側ランナー３２は、凹部の開口を下に向けて天井スラブ４１面における複数の間柱３３の上端の設置予定位置に配置されて天井スラブ４１にアンカーボルト３８等の固定手段により固定される。
【００１３】
間柱３３は、木製又は金属製の長尺材により形成される。間柱３３は、下端部が床側ランナー３１の凹部の開口を介して当該凹部内に位置され、上端部が天井側ランナー３２の凹部開口を介して当該凹部内に位置されることによって、上下の床側ランナー３１及び天井側ランナー３２内に建て込まれる。間柱３３は、床側ランナー３１、及び、天井側ランナー３２の延長方向において所定間隔隔てて複数本設置される。これら複数の間柱３３の一方の面と各ランナー３１；３２の一方の立ち上がり板３６の外面により構成された一方の壁下地面３３ａ、及び、これら複数の間柱３３の他方の面と各ランナー３１；３２の他方の立ち上がり板３７の外面により形成された他方の壁下地面３３ｂに対して、壁板構成部３４が設けられる。
【００１４】
例えば、一方の壁下地面３３ａを覆うように複数の壁板２を設置して当該壁板２を間柱３３にビス止め等で固定するとともに、他方の壁下地面３３ｂを覆うように複数の壁板２を設置して当該壁板２を間柱３３にビス止め等で固定することにより、壁板２；２が間柱３３を挟んで対向するように配置されて隣り合う間柱３３と間柱３３との間に壁内空間６が形成される。尚、壁板２は、例えば、石膏ボードであり、この石膏ボードの表面にクロス、塗装等の壁仕上げ材２ａが設けられて間仕切壁３の壁板構成部３４が形成される。
【００１５】
壁板２の表面と床仕上げ材２０の端面とが例えば数ｍｍ程度の隙間を隔てて離間するように構成され、壁板２の表面の下端部には、巾木５０が設けられる。
【００１６】
天井構造４は、天井スラブ４１に設けられた吊ボルト４２と、吊ボルト４２に取付けられた野縁受保持具としてのハンガー４３、野縁受４４、野縁取付具４５、野縁４６、野縁４６に取付けられた天井ボード、化粧板等の天井板４７を備えた構成であり、天井裏空間８は、天井スラブ４１と天井板４７との間の空間である。即ち、天井構造４は、天井スラブ４１に埋設されたインサートナット４８に吊ボルト４２を締結して吊ボルト４２を天井スラブ４１より下方に突出するように設け、吊ボルト４２にハンガー４３を取付け、ハンガー４３に野縁受４４を取付け、野縁取付具４５により野縁４６を野縁受４４に取付け、そして、野縁４６の下に天井板４７がビス等で取付けられて構成される。
【００１７】
以上説明した床構造１、間仕切壁３、天井構造４を備えた実施形態１の建物は、床施工を先行する床先行施工により構築された建物であり、当該建物において、床構造１の床板が基材１８と下地材１９とにより構成され、第１の通気部７は、間仕切壁３を支持すべく間仕切壁３の真下に配置されて床板を支持する複数の支持脚１３と支持脚１３との間の床板に形成された上下に貫通する床板貫通孔７１と、間仕切壁３の間柱３３の下端を床板に取付けるための間柱取付部材としての床側ランナー３１の基板３５に形成された貫通孔７２とにより構成されたことによって、床下空間５と壁内空間６とを空気が流通可能なように連通させる構成を備えている。
【００１８】
尚、間仕切壁３を支持すべく間仕切壁３の真下に配置されて床板を支持する複数の支持脚としては、上述した支持脚１３を用いてもよいが、例えば、図１；図２に示すようなシステム根太と呼ばれる根太の機能を備えた支持脚１３Ａを用いれば、少数で間仕切壁３のような重量構造物を支えることができて好ましい。当該支持脚１３Ａは、所定長さの根太材１７ａと根太材１７ａの長手方向の両方の端部にそれぞれ設けられた支持脚部とにより構成される。当該支持脚部は、床スラブに設置される防振ゴム１５と、下部が防振ゴム１５に取付けられた支柱１６とにより形成される。支柱１６の上部の外周面は雄ねじ部に形成される。根太材１７ａの端部には根太材１７ａの上下面に貫通する図外の貫通孔を備え、この貫通孔内には上下に貫通する筒体１８ｇが設けられ、この筒体１８ｇの内周面は雌ねじ部に形成される。即ち、当該防振ゴム１５、支柱１６、筒体１８ｇは、上述した支持脚１３の構成と同じものであり、当該支持脚１３Ａは、雄ねじ部の雄ねじと雌ねじ部の雌ねじとのねじ嵌合により根太材１７ａが支柱１６；１６に対して上下に移動可能に構成され、根太材１７ａの高さを調整可能である。このような支持脚１３Ａは根太材１７ａを備えて剛性が高いので、間仕切壁３のような重量構造物を支えることができる。
【００１９】
また、壁内空間６と天井裏空間８とを空気が流通可能なように連通させる第２の通気部９は、例えば、壁板２の上端と天井側ランナー３１の立ち上がり板３６；３７の下端とを離すことにより、当該壁板２の上端と天井側ランナー３１の立ち上がり板３６；３７の下端との間に形成された開口により構成される。尚、図示しないが、壁板２の上端を天井側ランナー３１の立ち上がり板３６；３７の表面に位置させた構成の場合には、天井板４７と天井側ランナー３１の立ち上がり板３６；３７の下端との間に位置する壁板２に貫通孔を設けて、当該貫通孔により第２の通気部９を構成してもよい。
【００２０】
さらに、天井裏空間８と室内空間１０とを空気が流通可能なように連通させる第３の通気部１１は、例えば、図１に示すように天井板４７に形成された貫通孔により構成されたり、あるいは、図示しないが天井板４７の端面と壁板構成部３４の表面との間に第３の通気部１１として機能する隙間を設けることにより構成してもよい。
【００２１】
実施形態１の建物によれば、ある室内の床構造１の床板に床衝撃音が加わった場合に床下空間５で発生した圧力波が、ある室内の床下空間５、第１の通気部７、壁内空間６、第２の通気部９、天井裏空間８、第３の通気部１１、室内空間１０を経由して減衰するとともに、ある室内の床構造１の床板に床衝撃音が加わった場合に床下空間５で生じた圧力波が、ある室内の床下空間５から間仕切壁３の下の床下空間５を通過して間仕切壁３を隔てたある室内の隣の室内の床下空間５を経て減衰するので、床衝撃音低減性能に優れた建物を提供できる。
また、第１の通気部７が、床構造１の床板及び床側ランナー３１に形成された貫通孔７１；７２により構成されたので、床衝撃音をより低減させることができる建物を床先行工法で構築でき、床を施工してから床上に壁を施工できることから施工が容易になるとともに、間仕切壁３の配置を変更することの容易な建物、所謂、フリープランに容易に対応可能な建物を提供できる。即ち、フリープランに容易に対応可能であるとともに床衝撃音をより低減させることができる建物を提供できる。
さらに、床板貫通孔７１は、間仕切壁３の下方に位置された複数の支持脚１３Ａ（又は１３）と支持脚１３Ａ（又は１３）との間に位置する床板に形成されたので、間仕切壁３の重量を支持脚で支持できるとともに、第１の通気部７を形成できるようになる。
そして、床構造１の床板に床衝撃音が加わった場合に床下空間５で生じた圧力波を、間仕切壁３の壁内空間６を介して低減させることができる。
【００２２】
実施形態２
図３に示すように、壁内空間６と室内空間１０とを空気が流通可能なように連通させる第２の通気部２１を備えた構成としてもよい。当該通気部２１は、例えば、壁板２及び壁仕上げ材２ａに形成した貫通孔により形成すればよい。
当該通気部２１は、実施形態１で説明した第２の通気部９、及び、第３の通気部１１を設けずにこれらの代わりに設けるようにしてもよいし（図３参照）、実施形態１で説明した第２の通気部９、及び、第３の通気部１１に加えて設けるようにしてもよい。
実施形態２の建物によれば、床構造１の床板に床衝撃音が加わった場合に床下空間５で発生した圧力波が、第１の通気部７、壁内空間６、第２の通気部２１、室内空間１０を経由して減衰するので、床衝撃音低減性能に優れた建物を提供でき、その他、実施形態１と同様な効果が得られる。
【００２３】
実施形態３
通気構成として、第１の通気部７及び第２の通気部９だけを備えた構成としてもよい。即ち、床構造１の床板に床衝撃音が加わった場合に床下空間５で発生した圧力波を壁内空間６及び天井裏空間８に逃がすが、室内空間１０へは逃がさない構成としてもよい。
実施形態３の建物によれば、床構造１の床板に床衝撃音が加わった場合に床下空間５で発生した圧力波が、第１の通気部７、壁内空間６、第２の通気部９、天井裏空間８を経由して減衰するので、床衝撃音低減性能に優れた建物を提供でき、その他、実施形態１と同様な効果が得られる。
【００２４】
実施形態４
図４に示すように、間仕切壁３の下側の床板と室内空間１０側の床板とを切り離して構成し、間仕切壁３の下側の床板の端面と室内空間１０側の床板の端面とを数ｍｍ程度の隙間Ｈを隔てて離間するように構成した場合において、下部に例えば合成樹脂製の可撓性部材により形成された「ヒレ」と呼ばれる隙間覆い部材５１を備えた巾木５０を壁板２の表面の下端部に設け、隙間覆い部材５１を床仕上げ材２０の上面に接触させて前記隙間Ｈを巾木５０の隙間覆い部材５１で覆い隠すように構成した場合においては、第１の通気部７が無い場合には、床下空間５が密閉状態となるため、重量床衝撃音低減性能が低下するが、第１の通気部７を備えた場合には、床下空間５で発生した圧力波が第１の通気部７を経由して壁内空間６に抜けるため、重量床衝撃音低減性能が向上する。
尚、この場合、図１；図３に示した実施形態１；２のように、巾木５０を床仕上げ材２０の上面に接触しないように設けて、前記隙間Ｈを介して床下空間５と室内空間１０とを空気が流通可能なように連通させる構成とすれば、床下空間５で発生した圧力波が前記隙間Ｈを経由して室内空間１０に抜けるようにもなるため、重量床衝撃音低減性能がより向上する。
【００２５】
実施形態５
壁施工を床施工より先に行う、所謂、壁先行工法で構築された建物において、床下空間５に形成された壁構造の壁板２の下端が、図５に示すように、床スラブ１２に固定された床側ランナー３１の立ち上がり板３６；３７の表面を覆う位置まで設けられている場合には、床下空間５に形成された壁構造の壁板２を貫通するように形成された壁板貫通孔により第１の通気部７を形成したり、図示しないが、壁構造の壁板２の下端を、床仕上げ材２０より下方で、かつ、床側ランナー３１の立ち上がり板３６；３７の上端より上方に位置するように構成し、壁構造の壁板２の下端と床側ランナー３１の立ち上がり板３６；３７の上端との間の開口により第１の通気部７を形成した構成としてもよい。
実施形態５によれば、床構造１の床板に床衝撃音が加わった場合に床下空間５で発生した圧力波が、第１の通気部７、壁内空間６、第２の通気部９、天井裏空間８、第３の通気部１１、室内空間１０を経由して減衰するので、床衝撃音低減性能に優れた建物を提供できる。
尚、壁先行工法で構築された建物においては、壁構造の壁板２の表面と床板構成部１４の端面とが例えば数ｍｍ程度の隙間Ｈを隔てて離間するように構成される。この場合、実施形態４と同様に、巾木５０の隙間覆い部材５１を床仕上げ材２０の上面に接触させて前記隙間Ｈを巾木５０の隙間覆い部材５１で覆い隠すように構成した場合においては、第１の通気部７が無い場合には、床下空間５が密閉状態となるため、重量床衝撃音低減性能が低下するが、第１の通気部７を備えた場合には、床下空間５で発生した圧力波が第１の通気部７を経由して壁内空間６に抜けるため、重量床衝撃音低減性能が向上する。また、巾木５０を床仕上げ材２０の上面に接触しないように設けて、前記隙間Ｈを介して床下空間５と室内空間１０とを空気が流通可能なように連通させる構成とすれば、床下空間５で発生した圧力波が前記隙間Ｈを経由して室内空間１０に抜けるようにもなるため、重量床衝撃音低減性能がより向上する。
【００２６】
実施形態６
図６に示すように、壁構造が例えばコンクリート躯体壁等の躯体壁６０と当該躯体壁６０と対向するように設けられた壁板２とで形成された二重壁であって、壁内空間６が躯体壁６０の壁面６１と壁板２との間の空間により形成された建物において、当該壁構造の下方に位置された複数の支持脚１３と支持脚１３との間に位置する床板に形成された床板貫通孔７１、及び、床側ランナー３１の基板３５に形成された貫通孔７２により第１の通気部７を形成した構成としてもよい。尚、前記壁板２は、躯体壁６０の前側に配置されて床板に固定された床側ランナー３１の凹部及び天井スラブ４１に固定された天井側ランナー３２の凹部に建て込まれた複数の下地柱６２により形成された下地面６４にビス等で取付けられ、壁板２の表面に壁仕上げ材２ａが設けられて形成された壁は、ふかし壁と呼ばれる。
また、躯体壁６０は、例えば、外壁、戸境壁である。
実施形態６によれば、床構造１の床板に床衝撃音が加わった場合に床下空間５で生じた圧力波が、例えば、第１の通気部７、二重壁の壁内空間６、第２の通気部９、天井裏空間８、第３の通気部１１、室内空間１０を経由して減衰するので、床衝撃音低減性能に優れた建物を提供できる。
また、躯体壁６０壁面６１と床板の端面とが例えば数ｍｍ程度の隙間Ｈを隔てて離間するように構成されれば、床下空間５で発生した圧力波が前記隙間Ｈを経由して壁内空間６に抜けるようにもなるため、重量床衝撃音低減性能がより向上する。
【００２７】
実施形態７
図７に示すように、壁構造が壁内空間６としてのパイプスペース９０を形成する二重壁であり、当該壁構造の壁板２の下端が床側ランナー３１の立ち上がり板３６の表面を覆う位置まで設けられている構成においては、床下空間５に形成された壁板２を貫通するように形成された壁板貫通孔により第１の通気部７を形成した構成としてもよい。尚、この壁構造は、例えば、躯体壁６０の前側に配置されて床スラブ１２にアンカーボルト３８等の固定手段により固定された床側ランナー３１の凹部及び天井スラブ４１にアンカーボルト３８等の固定手段により固定された天井側ランナー３２の凹部に建て込まれた複数の下地柱６２により形成された下地面６４に壁板２がビス等で取付けられ、壁板２の表面に壁仕上げ材２ａが設けられて形成される。
実施形態７によれば、床構造１の床板に床衝撃音が加わった場合に床下空間５で生じた圧力波が、例えば、第１の通気部７、壁内空間６としてのパイプスペース９０、第２の通気部９、天井裏空間８、第３の通気部１１、室内空間１０を経由して減衰するので、床衝撃音低減性能に優れた建物を提供できる。
【００２８】
実施形態８
図８に示すように、壁構造が収納部としてのクローゼット８０の背壁板８１と当該背壁板８１と対向する間仕切壁３等の壁とで形成された二重壁であり、壁内空間６がクローゼット８０の背壁板８１と壁の壁面３ｆとの間の空間により形成され、当該壁内空間６の上部が室内空間１０に開放された建物において、当該壁構造の壁内空間６の下方に位置された床板に形成された床板貫通孔により第１の通気部７を形成した構成としてもよい。
また、壁構造が収納部としてのキッチン収納の背壁板と当該背壁板と対向する外壁等の壁とで形成された二重壁の場合も同様に構成できる。
実施形態７によれば、床構造１の床板に床衝撃音が加わった場合に床下空間５で生じた圧力波が、例えば、第１の通気部７、クローゼットやキッチン収納等の収納部の背壁板と当該背壁板と対向する壁とで形成された二重壁の壁内空間６、室内空間１０を経由して減衰するので、床衝撃音低減性能に優れた建物を提供できる。
【００２９】
実施形態９
図９；図１０に建物の具体的構成例を示す。
即ち、間仕切壁３の壁内空間６の下方の床板、躯体壁６０と当該躯体壁６０と対向するように設けられた壁板２とで形成された二重壁の壁内空間６の下方の床板、クローゼット８０の背壁板８１と当該背壁板８１と対向する間仕切壁３とで形成された二重壁の壁内空間６の下方の床板、のそれぞれに第１の通気部７を形成するとともに、間仕切壁３の壁内空間６と天井裏空間８とを連通させる第２の通気部９、二重壁の壁内空間６と天井裏空間８とを連通させる第２の通気部９を設け、かつ、天井板４７に天井裏空間８と室内空間１０とを連通させる第３の通気部１１を設けた構成の建物とした。
実施形態９によれば、床構造１の床板に床衝撃音が加わった場合に床下空間５で生じた圧力波が、例えば、複数箇所の第１の通気部７、複数の壁内空間６、複数の第２の通気部９、天井裏空間８、複数の第３の通気部１１、室内空間１０を経由して減衰するので、床衝撃音低減性能に優れた建物を提供できる。
【００３０】
間柱取付部材として、ランナーの代わりに土台と呼ばれる木製の下地材を用いるようにしてもよい。この土台を用いた床先行工法で構築される建物の場合、床板に形成した床板貫通孔と土台に形成した土台貫通孔とで第１の通気部７を構成したり、土台と土台との間の床板に形成した床板貫通孔により第１の通気部７を構成すればよい。
【符号の説明】
【００３１】
１  床構造、２  壁板、３  間仕切壁（壁構造）、４  天井構造、５  床下空間、
６  壁内空間、７  第１の通気部、８  天井裏空間、９  第２の通気部、
１０  室内空間、１１  第３の通気部、１３；１３Ａ  支持脚、１５  防振ゴム、
６０  躯体壁、７１  床板貫通孔、８０  クローゼット（収納部）、８１  背壁板、
９０  パイプスペース（壁内空間）。
【図１】
2014012976.tif 000003
【図２】
2014012976.tif 000004
【図３】
2014012976.tif 000005
【図４】
2014012976.tif 000006
【図５】
2014012976.tif 000007
【図６】
2014012976.tif 000008
【図７】
2014012976.tif 000009
【図８】
2014012976.tif 000010
【図９】
2014012976.tif 000011
【図１０】
2014012976.tif 000012